(57)【要約】【課題】  簡易な回路構成で、画像データのエッジを強調しつつ、該エッジ間のドットを間引く。【解決手段】  通常ビデオ信号は水平同期信号とビデオクロック信号に基づいたタイミングで生成される。エッジ信号は、通常ビデオ信号の変化を検出して生成される第１のエッジと、さらに通常ビデオ信号の次の変化を検出して生成される第２のエッジとから成る。エッジ信号と水平方向間引きパターン信号の論理和より水平方向間引きビデオ信号を得る。エッジ信号は、フリップフロップが通常ビデオ信号の変化を検出し、カウンタのキャリー信号が該フリップフロップをリセットすることで生成される。また、エッジドット数レジスタに予め設定する値はカウンタの初期値であり、カウンタのキャリーを発生させるタイミングを調節することでエッジ幅を調節する。【選択図】          図４
2005205751.tif 000002
【特許請求の範囲】
【請求項１】
クロック・タイミングとビデオ信号の変化に基づいて第１のエッジを検出する第１のエッジ検出手段と、クロック・タイミングとビデオ信号の次の変化に基づいて第２のエッジを検出する第２のエッジ検出手段と、前記第１のエッジ検出手段により検出される第１のエッジと前記第２のエッジ検出手段により検出される第２のエッジまでのビデオ信号のドットを間引く水平方向間引き手段とを有することを特徴とする画像形成装置。
【請求項２】
前記第１のエッジ検出手段により検出される第１のエッジの幅と、前記第２のエッジ検出手段により検出される第２のエッジの幅の少なくとも一方を調節するエッジ幅調節手段を有することを特徴とする請求項１記載の画像形成装置。
【請求項３】
前記水平方向間引き手段の出力を有効にするか否かを制御する水平方向制御手段を有することを特徴とする請求項１又は２記載の画像形成装置。
【請求項４】
前記水平方向間引き手段の間引きパターンを変更する間引きパターン変更手段を有することを特徴とする請求項１乃至３いずれか記載の画像形成装置。
【請求項５】
周期的な同期信号に基づいてビデオ信号を間引く垂直方向間引き手段を有することを特徴とする請求項１乃至４いずれか記載の画像形成装置。
【請求項６】
前記垂直方向間引き手段の出力を有効にするか否かを制御する垂直方向制御手段を有することを特徴とする請求項５記載の画像形成装置。
【請求項７】
前記垂直方向間引き手段は、前記水平方向間引き手段に間引かれたビデオ信号を間引くことを特徴とする請求項５又は６記載の画像形成装置。
【請求項８】
前記垂直方向間引き手段の間引きライン数を変更する間引きライン変更手段を有することを特徴とする請求項５乃至７いずれか記載の画像形成装置。
【発明の詳細な説明】
【技術分野】
【０００１】
本発明は、プリンタ、ファクシミリ、複写機等の画像形成装置に関する。
【背景技術】
【０００２】
この種の画像形成装置において、トナーをセーブするトナーセーブモードを有するものが知られている。トナーセーブモードを実現する一つの方法として、印刷対象の画像データから一定の割合でドットを間引くものがある。単純にドットを間引いた場合には、細い線などは線が擦れたようになってしまうため、画質の劣化を引き起こす恐れがある。そこで、特許文献１においては、ドットパターンのエッジに相当するような特定のドットに対しては間引き処理を実施しないことが開示されている。
【０００３】
【特許文献１】特開平８−９１２３号公報
【発明の開示】
【発明が解決しようとする課題】
【０００４】
しかしながら、上記文献に係る発明においては、画像データのエッジは、注目画素とその上下左右の画素とを利用したパターンマッチングにより検出されている。即ち、画像データの１水平ライン分のビット列を２ライン分保持するために、２つのＦＩＦＯメモリが必要となる。このため、コストがかかり、低価格な画像処理装置には適用できない。
【０００５】
本発明の目的は、簡易な回路構成で、画像データのエッジを強調しつつ、該エッジ間のドットを間引くことができる画像形成装置を提供することにある。
【課題を解決するための手段】
【０００６】
本発明の特徴とするところは、クロック・タイミングとビデオ信号の変化に基づいて第１のエッジを検出する第１のエッジ検出手段と、クロック・タイミングとビデオ信号の次の変化に基づいて第２のエッジを検出する第２のエッジ検出手段と、前記第１のエッジ検出手段により検出される第１のエッジと前記第２のエッジ検出手段により検出される第２のエッジまでのビデオ信号のドットを間引く水平方向間引き手段とを有する画像形成装置である。本発明によれば、パターンマッチングすることなく画像データからエッジを検出でき、該エッジ間のドットを間引くことができるため、水平ラインを記憶するメモリを不要にできる。
【０００７】
好ましくは、前記第１のエッジ検出手段により検出される第１のエッジの幅と、前記第２のエッジ検出手段により検出される第２のエッジの幅の少なくとも一方を調節するエッジ幅調節手段を有する。画像データのエッジ部分を強調することにより、文字や細い線が擦れてしまうことを防ぐことができる。
【０００８】
好ましくは、前記水平方向間引き手段の出力を有効にするか否かを制御する水平方向制御手段を有する。多様なトナーセーブ方式を容易に選択できる。
【０００９】
好ましくは、前記水平方向間引き手段の間引きパターンを変更する間引きパターン変更手段を有する。間引きパターンの形状を変更でき、多様なトナーセーブ方式を柔軟に実現できる。
【００１０】
また、好ましくは、周期的な同期信号に基づいてビデオ信号を間引く垂直方向間引き手段を有する。好ましくは、前記垂直方向間引き手段の出力を有効にするか否かを制御する垂直方向制御手段を有する。好ましくは、前記垂直方向間引き手段は、前記水平方向間引き手段に間引かれたビデオ信号を間引く。好ましくは、前記垂直方向間引き手段の間引きライン数を変更する間引きライン変更手段を有する。画像データを垂直方向に水平ラインごとに間引き、より多様なトナーセーブ方式を実現し、容易に選択できる。
【発明の効果】
【００１１】
本発明によれば、パターンマッチングすることなく画像データからエッジを検出でき、該エッジ間のドットを間引くことができるため、水平ラインを記憶するメモリを不要にできる。よって制御回路として安価に実現でき、低価格な画像装置でも採用できる。また、画像データのエッジ部分を強調することにより、文字や細い線が擦れてしまうことを防ぐことができる。
【発明を実施するための最良の形態】
【００１２】
次に本発明の実施形態について説明する。
図１において、画像形成装置の概要が示されている。画像形成装置１０は、画像形成部１２と原稿読取装置１４とを有する。画像形成部１２は、例えばゼログラフィ方式のもので、シートが積載された例えば３段の給紙トレイ１６ａ、１６ｂ、１６ｃを有し、これらトレイ１６ａ〜１６ｃからシート搬送路２０に供給されたシートに画像を形成するようになっている。
【００１３】
即ち、画像形成部１２は、像担持体である感光体２２と、この感光体２２を一様に帯電する帯電器２４により一様に帯電された感光体２２に潜像を形成する露光装置２６と、この露光装置２６により形成された感光体２２上の潜像をトナーで可視化する現像器２８と、この現像器２８により形成されたトナー像をシートに転写する転写装置３０と、感光体２２に残ったトナーをクリーニングするクリーナー３２とを有する。露光装置２６は、例えばレーザ走査方式のもので、後述する原稿読取装置１４の読み取りセンサ４６で読み取った原稿の画像をレーザのオンオフ信号に変えて出力する。転写装置３０は例えば転写ロールから構成され、この転写装置３０によりトナー像が転写されたシートが定着装置３４に送られ、この定着装置３４によりトナー像がシートに定着され、このトナー像が定着されたシートが排出トレイ３６に排出される。
【００１４】
原稿読取装置１４は、原稿を光学的に読み取る光学系３８を有する。光学系３８は、原稿に光を照射するランプ４０と、原稿からの光を反射する反射ミラー４２ａ、４２ｂ、４２ｃと、この反射ミラー４２ａ〜４２ｃからの光を収束させるレンズ４４と、このレンズ４４により収束した光を読み取る読み取りセンサ４６とを有する。読み取りセンサ４６は例えばＣＣＤから構成されている。この読み取りセンサ４６で読み取られた画像信号は、後述する制御装置に送られる。
【００１５】
図２において、上述した画像形成装置１０を制御するための制御装置の構成例が示されている。この構成例では、読取部インターフェイス５０と、ユーザーインターフェイス５２と、ＣＰＵ５４と、システムメモリ５６と、画像蓄積メモリ５８と、トナーセーブ回路６０と、通信インターフェイス６２とがバス接続されている。読取部インターフェイス５０は、前述した読み取りセンサ４６からの原稿画像を入力する。ユーザーインターフェイス５２は、図示しないテンキー、スタートボタン、及び液晶等からなる表示部等が設けられ、オペレータからの指示を入力すると共に、オペレータに情報を表示する。ＣＰＵ５４は、システムメモリ５６に書き込まれたプログラムに従って各回路を制御する。画像蓄積メモリ５８は、読取部インターフェイス５０を介して入力された原稿画像を一次記憶する。トナーセーブ回路６０は、ＣＰＵ５４の命令に従って画像蓄積メモリ５８に蓄積された画像の間引き制御を行い、画像形成部の露光装置に送出する。通信インターフェイス６２は、外部装置と蓄積画像及び印刷結果等を通信する。
【００１６】
図３において、トナーセーブ回路６０のブロック図が示されている。トナーセーブ回路６０は、パラレルシリアル変換部７０と、エッジ検出制御部７２と、水平方向間引きパターン発生部７４と、間引きパターン変更部７５と、垂直方向間引きライン発生部７６と、間引きライン変更部７７と、オアゲート７８と、アンドゲート８０ａ、８０ｂと、セレクタ８４ａ、８４ｂと、水平方向制御部８６と、垂直方向制御部８８とを含む。
【００１７】
パラレルシリアル変換部７０は、水平同期信号及びビデオクロック信号に基づいたタイミングで画像蓄積メモリ５８から画像データを読み出し、シリアルのビット列に変換した信号をエッジ検出制御部７２に対して出力する。以後、この信号を通常ビデオ信号と呼ぶ。パラレルシリアル変換部７０は同様に、通常ビデオ信号を水平方向間引きパターン発生部７４と、第１のアンドゲート８０ａと、第１のセレクタ８４ａとに対して出力する。エッジ検出制御部７２は、ビデオクロック信号と通常ビデオ信号の変化に基づいてエッジを検出し、エッジ信号をオアゲート７８に対して出力する。水平方向間引きパターン発生部７４は、ビデオクロック信号と通常ビデオ信号とを入力し、水平方向間引きパターン信号をオアゲート７８に対して出力する。ここで、水平方向間引きパターン信号は通常ビデオ信号からドットを間引いた信号である。間引きパターン変更部７５は、水平方向間引きパターン発生部７４の出力する間引きパターンを変更する。
【００１８】
オアゲート７８は、エッジ信号と水平方向間引きパターン信号との論理和を第１のセレクタ８４ａに対して出力する。以後、エッジ信号と水平方向間引きパターン信号の論理和を水平方向間引きビデオ信号と呼ぶ。水平方向間引きビデオ信号は、通常ビデオ信号が変化する部分においてはエッジを強調する一方、該エッジ間においてはドットを間引いた信号である。第１のセレクタ８４ａは、水平方向制御部８６の設定に基づいて、通常ビデオ信号と水平方向間引きビデオ信号のいずれか一方を第２のセレクタ８４ｂ及び第２のアンドゲート８０ｂに対して出力する。
【００１９】
垂直方向間引きライン発生部７６は、水平同期信号と垂直同期信号とを入力し、垂直方向間引きライン信号を第１のアンドゲート８０ａ及び第２のアンドゲート８０ｂに対して出力する。ここで、垂直方向間引きライン信号は、画像データの水平ラインを間引く信号である。間引きライン変更部７７は、垂直方向間引きライン発生部７６の出力する間引きラインを変更する。第１のアンドゲート８０ａは、通常ビデオ信号と垂直方向間引きライン信号の論理積を第２のセレクタ８４ｂに対して出力する。以後、通常ビデオ信号と垂直方向間引きライン信号の論理積を垂直方向間引きビデオ信号と呼ぶ。垂直方向間引きビデオ信号は、垂直方向間引きライン信号に従って通常ビデオ信号から水平ラインを間引かれた信号となる。
【００２０】
第２のアンドゲート８０ｂは、水平方向間引きビデオ信号と垂直方向間引きライン信号の論理積を第２のセレクタ８４ｂに対して出力する。以後、水平方向間引きビデオ信号と垂直方向間引きライン信号の論理積を水平垂直方向間引きビデオ信号と呼ぶ。水平垂直方向間引きビデオ信号は、水平方向にはエッジ間のドットが間引かれた上に、さらに垂直方向には水平ラインが間引かれた信号となる。第２のセレクタ８４ｂは、垂直方向制御部８８の設定に基づいて、第１のセレクタ８４ａからの入力と、垂直方向間引きビデオ信号と、水平垂直方向間引きビデオ信号とのいずれか一方を画像形成部１２に対して出力する。
【００２１】
図４において、エッジ検出制御部７２の具体的な回路のブロック図が示されている。エッジ検出制御部７２は、エッジドット数レジスタ１１０と、カウンタ１１２ａ、１１２ｂと、フリップフロップ１１４ａ、１１４ｂと、インバータ１１６ａ、１１６ｂと、オアゲート１２０とを含む。
【００２２】
エッジドット数レジスタ１１０は、カウンタの初期値をカウンタ１１２ａ、１１２ｂに対して出力する。該初期値は、エッジドット数レジスタに予め記憶されている。エッジドット数レジスタ１１０は、例えば４ビットであり、０ｈからＥｈまでの値を記憶することができる。
【００２３】
第１のカウンタ１１２ａは、エッジドット数レジスタ１１０の出力と、通常ビデオ信号と、ビデオクロック信号と、リセット信号とを入力し、キャリー信号を第１のフリップフロップ１１４ａに対して出力する。ただし、通常ビデオ信号は第１のインバータ１１６ａを介して第１のカウンタ１１２ａに入力される。第１のフリップフロップ１１４ａは、通常ビデオ信号と、ビデオクロック信号と、第１のカウンタ１１２ａからのキャリー信号とを入力し、次の状態をオアゲート１２０に対して出力する。ただし、ビデオクロック信号は第２のインバータ１１６ｂを介して第１のフリップフロップ１１４ａに入力される。
【００２４】
第２のカウンタ１１２ｂは、エッジドット数レジスタ１１０の出力と、通常ビデオ信号と、ビデオクロック信号と、リセット信号とを入力し、キャリー信号を第２のフリップフロップ１１４ｂに対して出力する。即ち、通常ビデオ信号は、第２のカウンタ１１２ｂへ入力される際においては、第１のカウンタ１１２ａに入力される値とは反転した値である。第２のフリップフロップ１１４ｂは、通常ビデオ信号と、ビデオクロック信号と、第２のカウンタ１１２ｂからのキャリー信号とを入力し、次の状態をオアゲート１２０に対して出力する。通常ビデオ信号は同様に、第２のフリップフロップ１１４ｂへ入力される際においては、第１のフリップフロップ１１４ａに入力される値とは反転した値である。
【００２５】
オアゲート１２０は、第１のフリップフロップ１１４ａと第２のフリップフロップ１１４ｂとからのエッジ信号を入力し、その論理和を出力する。以上の構成によって、エッジ検出制御回路７２は、通常ビデオ信号とビデオクロック信号からエッジ信号を出力する。
【００２６】
次に、上記実施形態の作用について説明する。
図３において、まず画像データは、ビデオクロック信号と水平同期信号とのタイミングに従って、パラレルシリアル変換部７０にて通常ビデオ信号に変換される。通常ビデオ信号を基にして、エッジ信号はエッジ検出制御部７２から出力され、水平方向間引きパターン信号は水平方向間引きパターン発生部７４から発生される。エッジ信号は、エッジ検出制御部７２がビデオクロック信号と通常ビデオ信号との変化を検出して例えばエッジ幅１ドットである第１のエッジを生成し、さらに通常ビデオ信号の次の変化を検出して例えばエッジ幅１ドットである第２のエッジを生成することで形成される信号である。ここで、１ドットは例えばビデオクロック信号の１クロックに対応する。エッジ信号及び水平方向間引きパターン信号は、オアゲート７８に対して出力され、水平方向間引きビデオ信号が生成される。
【００２７】
図５において、水平方向間引きビデオ信号の生成に係るタイミング・チャートが示されている。エッジ信号の第１のエッジと第２のエッジは、通常ビデオ信号の変化を契機に生成される。また、水平方向間引きパターン信号は、これらのエッジが生成されるクロック・タイミングの間に生成される。水平方向間引きビデオ信号は、エッジ信号と水平方向間引きパターン信号との論理和より最終的に生成される。なお、水平方向間引きパターン発生部７４にて発生される間引きパターンの形状は、間引きパターン変更部７５により自由に変更されることができる。
【００２８】
一方、垂直方向間引きライン発生部７６においては、垂直方向間引きライン信号が、垂直同期信号と水平同期信号とに同期したタイミングで、例えば通常ビデオ信号から水平ラインを１ラインおきに間引く信号として生成される。通常ビデオ信号は、パラレルシリアル変換部７０から第１のアンドゲート８０ａに対しても出力されることから、第１のアンドゲート８０ａにて、垂直方向間引きライン信号との論理積を取られ、１ラインおきに間引かれることになる。このように、通常ビデオ信号が１ラインおきに間引かれた結果、垂直方向間引きビデオ信号が生成される。
【００２９】
図６において、垂直方向間引きビデオ信号の生成に係るタイミング・チャートが示されている。通常ビデオ信号は水平同期信号に同期している。垂直方向間引きライン信号も同様に水平同期信号に同期しており、例えば通常ビデオ信号を１ラインおきに間引く形状である。垂直方向間引きビデオ信号は、通常ビデオ信号と垂直方向間引きライン信号との論理積より最終的に生成される。なお、垂直方向間引きライン発生部７６にて発生される間引きラインの形状は、間引きライン変更部７７により自由に変更されることができる。
【００３０】
通常ビデオ信号はさらに、パラレルシリアル変換部７０から第１のセレクタ８４ａに対しても出力される。第１のセレクタ８４ａには水平方向間引きビデオ信号も入力されるため、第１のセレクタ８４ａの出力は、通常ビデオ信号又は水平方向間引きビデオ信号のいずれか一方となる。ここで、第１のセレクタ８４ａの出力は水平方向制御部８６によって決定される。即ち、通常ビデオ信号を水平方向に間引くか否かは水平方向制御部８６に設定されることであり、第１のセレクタ８４ａの出力は、水平方向制御部８６の設定に従って通常ビデオ信号と水平方向間引きビデオ信号とから選択される。
【００３１】
水平方向間引きビデオ信号が第１のセレクタ８４ａから出力される場合、水平方向間引きビデオ信号は第２のアンドゲート８０ｂに対して出力される。第２のアンドゲート８０ｂに対しては、垂直方向間引きライン信号も同様に出力されている。よって、水平方向間引きビデオ信号は、第２のアンドゲート８０ｂにて垂直方向間引きライン信号との論理積を取られることにより、例えば垂直方向に１ラインおきに間引かれることになる。即ち、第１のセレクタ８４ａの出力として水平方向間引きビデオ信号が選択されると、水平方向間引きビデオ信号は第２のアンドゲート８０ｂにてさらに垂直方向に水平ラインごとに間引かれることになり、結果として水平垂直方向間引きビデオ信号が生成される。
【００３２】
図７において、水平垂直方向間引きビデオ信号の生成に係るタイミング・チャートが示されている。水平方向間引きビデオ信号は既に水平方向に間引かれている信号である。垂直方向間引きライン信号は、垂直方向間引きビデオ信号を生成する際と同様に、水平同期信号に同期して、例えば通常ビデオ信号を１ラインおきに間引く形状である。水平垂直方向間引きビデオ信号は、水平方向間引きビデオ信号がさらに垂直方向間引きライン信号との論理積を取られることで生成される。
【００３３】
また、第２のセレクタ８４ｂに対しては、第１のセレクタ８４ａの出力と、垂直方向間引きビデオ信号と、水平垂直方向間引きビデオ信号とが出力される。第２のセレクタ８４ｂの出力は垂直方向制御部８８によって決定される。即ち、通常ビデオ信号あるいは水平方向間引きビデオ信号を垂直方向に間引くか否かは垂直方向制御部８８に設定されることであり、第２のセレクタ８４ｂの出力は、水平方向制御部８６の設定に従う。よって、第２のセレクタ８４ｂの出力は、水平方向制御部８６及び垂直方向制御部８８の設定に従ってトナーセーブされた画像データとなって画像形成部１２に送出される。
【００３４】
次に、エッジ検出制御部７２の作用を詳述する。
図４において、第１のカウンタ１１２ａは、常にビデオクロック信号を入力しているが、カウント動作をしていない間においては、状態をリセットされている。通常ビデオ信号は第１のカウンタ１１２ａのスタート信号であり、第１のカウンタ１１２ａは、通常ビデオ信号が変化するとリセット状態を解除され、カウントを開始する。第１のカウンタ１１２ａはカウントを開始すると、ビデオクロック信号のタイミングに従ってその値を１ずつ増加する。値の増加に伴ってキャリーが発生すると、第１のカウンタ１１２ａはキャリー信号を第１のフリップフロップ１１４ａに出力する。第１のカウンタ１１２ａは、例えば１６進カウンタであり、予め設定された初期値例えばＥｈからＦｈまでカウントするとキャリーが発生し、キャリー信号を第１のフリップフロップ１１４ａに対して出力することで、該第１のフリップフロップ１１４ａをリセットする。
【００３５】
第１のフリップフロップ１１４ａは、常にビデオクロック信号を入力しており、通常ビデオ信号が変化すると、ビデオクロック信号に同期して出力を“１”にする。さらに、第１のフリップフロップ１１４ａは、出力が“１”のときに第１のカウンタ１１２ａからのリセット信号を入力すると、出力を再び“０”にする。即ち、第１のフリップフロップ１１４ａは、通常ビデオ信号が変化する契機で、予め設定されたエッジ幅のエッジを生成することになる。第１のカウンタ１１２ａの初期値はエッジドット数レジスタ１１０に記憶されている。
このようにして、エッジ検出制御部７２は、第１のカウンタ１１２ａと、第１のフリップフロップ１１４ａとを用いて通常ビデオ信号が変化する際の第１のエッジを描くことができる。
【００３６】
エッジ検出制御回路７２は同様に、第２のカウンタ１１２ｂと、第２のフリップフロップ１１４ｂとを用いて通常ビデオ信号が次に変化する際の第２のエッジを描く。通常ビデオ信号は、第１のカウンタ１１２ａと第１のフリップフロップ１１４ａとに入力される値とは反転した値として、第２のカウンタ１１２ｂと第２のフリップフロップ１１４ｂとに入力される。ゆえに、第２のカウンタ１１２ｂと第２のフリップフロップ１１４ｂは、第１のカウンタ１１２ａと第１のフリップフロップ１１４ａとが検出した変化の次の変化を検出することになる。
【００３７】
最終的にエッジ信号は、オアゲート１２０にて第１のフリップフロップ１１４ａの出力と第２のフリップフロップ１１４ｂの出力との論理和より生成される。
【００３８】
エッジドット数レジスタ１１０は、エッジ幅を調節することができる。まず、エッジ幅を１ドットとした場合の作用について説明する。エッジ幅を１ドットとする場合、エッジドット数レジスタ１１０の設定値は“Ｅｈ”とされる。エッジドット数レジスタ１１０の設定値は第１のカウンタ１１２ａの初期値となることから、第１のカウンタ１１２ａはカウント開始から１クロック経過後に状態が“Ｆｈ”となってキャリーが発生し、キャリー信号を出力することになる。キャリー信号は第１のフリップフロップ１１４ａをリセットするので、第１のフリップフロップ１１４ａの出力はカウンタのキャリー発生のタイミングで再び“０”となる。
【００３９】
図８（ａ）において、エッジ幅を１ドットとした場合のエッジ信号生成に係るエッジ検出制御回路のタイミング・チャートが示されている。通常ビデオ信号の変化を契機として、カウンタ１はカウントを開始し、同時にフリップフロップ１の出力は“１”となる。カウンタ１は、レジスタ設定値がＥｈであることから、１クロック経過後に状態がＦｈとなり、キャリー信号を発生する。キャリー信号はフリップフロップ１をリセットするため、フリップフロップ１の出力は“０”に戻る。第１のエッジはこのようにしてエッジ幅１ドットで生成される。通常ビデオ信号が次に変化する際は同様にして、カウンタ２とフリップフロップ２によって、第２のエッジが生成される。
【００４０】
エッジ幅を２ドットとする場合、エッジドット数レジスタ１１０の設定値は“Ｄｈ”とされる。第１のカウンタ１１２ａの状態はカウント開始から１クロック経過後にＥｈと、２クロック経過後にＦｈとなる。即ち、キャリー発生はカウント開始から２クロック経過後となり、エッジ幅２ドットのエッジが生成される。
【００４１】
図８（ｂ）において、エッジ幅を２ドットとした場合のタイミング・チャートが示されている。レジスタの設定値がＤｈであるため、カウンタ１はカウント開始から２クロック後にＦｈとなり、キャリーを発生する。従って、フリップフロップ１は、通常ビデオ信号の変化を契機として、エッジ幅２ドットのエッジを生成することになる。
【００４２】
このようにして、エッジ検出制御回路７２は、エッジドット数レジスタ１１０に設定する値を変化させ、キャリーを発生させるタイミングを制御することで、エッジ幅のドット数を自由に調節できる。なお、本実施例においては、エッジドット数レジスタ１１０は１つであり、第１のエッジの幅と第２のエッジの幅は共通であったが、他の実施形態としてエッジドット数レジスタを複数設け、第１のエッジ幅と第２のエッジ幅とを別個に調節することもできる。
【図面の簡単な説明】
【００４３】
【図１】本発明の実施形態に係る画像形成装置を示す側面図である。
【図２】本発明の実施形態に係る画像形成装置の制御装置を示すブロック図である。
【図３】本発明の実施形態に係る画像形成装置のトナーセーブ回路の回路を示すブロック図である。
【図４】本発明の実施形態に係る画像形成装置に用いたエッジ検出制御回路を示すブロック図である。
【図５】本発明の実施形態に係る画像形成装置において、水平方向間引きビデオ信号を生成する場合のタイミング・チャートである。
【図６】本発明の実施形態に係る画像形成装置において、垂直方向間引きビデオ信号を生成する場合のタイミング・チャートである。
【図７】本発明の実施形態に係る画像形成装置において、水平垂直方向間引きビデオ信号を生成する場合のタイミング・チャートである。
【図８】本発明の実施形態に係る画像形成装置において、通常ビデオ信号からエッジを検出する場合のタイミング・チャートである。
【符号の説明】
【００４４】
１０    画像形成装置
１２    画像形成部
５８    画像蓄積メモリ
６０    トナーセーブ回路
７０    パラレルシリアル変換部
７２    エッジ検出制御部
７４    水平方向間引きパターン発生部
７６    垂直方向間引きライン発生部
７８    オアゲート
８０ａ    第１のアンドゲート
８０ｂ    第２のアンドゲート
８４ａ    第１のセレクタ
８４ｂ    第２のセレクタ
８６    水平方向制御部
８８    垂直方向制御部
１１０    エッジドット数レジスタ
１１２ａ    第１のカウンタ
１１２ｂ    第２のカウンタ
１１４ａ    第１のフリップフロップ
１１４ｂ    第２のフリップフロップ
１１６ａ    第１のインバータ
１１６ｂ    第２のインバータ
１２０    オアゲート
【図１】
2005205751.tif 000003
【図２】
2005205751.tif 000004
【図３】
2005205751.tif 000005
【図４】
2005205751.tif 000006
【図５】
2005205751.tif 000007
【図６】
2005205751.tif 000008
【図７】
2005205751.tif 000009
【図８】
2005205751.tif 000010